(57)【要約】【課題】沈澱池の所定深さにおける水の流速や方向を測定することができる、沈澱池の水流測定方を提供する。【解決手段】流し込まれた固体粒子を含む水から該固体粒子を沈澱除去するための沈澱池における水流測定方法であって、浮き２１と、水流受体２２と、浮き２１及び水流受体２２を連結する紐状部材２３とを有する漂流ブイ２０であって、紐状部材２３の長さを変えて、紐状部材２３の長さごとに浮き２１に異なる目印２５〜２９を付けた複数の漂流ブイ２０を用い、各漂流ブイ２０を沈澱池１０に浮かべ、定点撮像手段によって各漂流ブイ２０の浮きの動きを所定時間ごとに撮像して、各漂流ブイ２０の浮き２１の位置の変化を測定する。【選択図】図１
2018091725.tif 000002
【特許請求の範囲】
【請求項１】
流し込まれた固体粒子を含む水から該固体粒子を沈澱除去するための沈澱池における水流測定方法であって、
浮きと、水流受体と、前記浮き及び前記水流受体を連結する紐状部材とを有する漂流ブイであって、前記紐状部材の長さを変えて、前記紐状部材の長さごとに前記浮きに異なる目印を付けた複数の前記漂流ブイを用い、
前記各漂流ブイを前記沈澱池に浮かべ、定点撮像手段によって前記各漂流ブイの浮きの動きを所定時間ごとに撮像して、前記各漂流ブイの浮きの位置の変化を測定することを特徴とする沈澱池の水流測定方法。
【請求項２】
前記沈澱池の外周の複数箇所に標識を設けておき、前記定点撮像手段によって、前記各漂流ブイの浮きの動きを前記標識と共に撮像する、請求項１記載の沈澱池の水流測定方法。
【請求項３】
前記定点撮像手段は、カメラを搭載した無人飛行体であって、該無人飛行体によって、前記沈澱池の上方から前記各漂流ブイの浮きの動きを撮像する請求項１又は２記載の沈澱池の水流測定方法。
【請求項４】
前記漂流ブイの浮きに付された前記目印は、前記紐状部材の長さに応じて、前記浮きごとに色分けされたＬＥＤからなる請求項１〜３のいずれか１つに記載の沈澱池の水流測定方法。
【請求項５】
前記漂流ブイの水流受体は、その質量が４０〜６０ｇ、比重が１．３〜１．７であり、前記浮きを前記沈澱池の水面に浮かべ、前記水流受体を水面下に沈めて、前記紐状部材によって支持した状態で側方から見たとき、前記浮きの水中投影面積の最大時の面積が、前記水流受体の投影面積の最大時の面積の２〜１０％である請求項１〜４のいずれか１つに記載の沈澱池における沈澱池の水流測定方法。
【請求項６】
流し込まれた固体粒子を含む水から該固体粒子を沈澱除去するための沈澱池における水流測定装置であって、
複数の漂流ブイと、該漂流ブイの動きを撮像する定点撮像手段とを備え、
前記複数の漂流ブイはそれぞれ、浮きと、水流受体と、前記浮き及び前記水流受体を連結する紐状部材とを有し、
前記紐状部材は、各漂流ブイごとに異なる長さとされて、該紐状部材の長さごとに前記浮きに異なる目印が付されていることを特徴とする沈澱池の水流測定装置。
【発明の詳細な説明】
【技術分野】
【０００１】
本発明は、流し込まれた固体粒子を含む水から該固体粒子を沈澱除去するための沈澱池において、その水流を測定するための、沈澱池の水流測定方法、及び、沈澱池の水流測定装置に関する。
【背景技術】
【０００２】
従来から、上水や下水等において、固体粒子を含む水から固体粒子を沈澱除去するために、水を沈澱池に流入して、この水を非常にゆっくり流動させて、水から固体粒子を重力によって沈澱させて、固体粒子を除去することが行われている。
【０００３】
例えば、上水道においては、原水に、薬品を混和して所定ｐＨとした後、更に所定の凝集剤を添加して大きな固まりを生成し、その後、原水を、沈澱池の一端から流入して、他端側に向けて、所定の流速で非常にゆっくり流動させることで、固体粒子を沈澱させて、浄水を得るようになっている。
【０００４】
ところで、上記のような沈澱池は、例えば、風が強く吹いている場合や、炎天下等で水表面と水中の温度差が大きく対流が起こっている場合は、水の流速が変化したり、乱流が生じて水の流れる方向が変化したりすることがあった。また、沈澱池の深さによっても、水の流速や方向が変化することが知られている。このように、沈澱池中の水の流速や方向は、天候や季節等、或いは、深さによって変化することがあった。
【０００５】
上記のように、沈澱池内の水の流速や方向が、想定した流速や方向に対して変化した場合には、予定している固体粒子の沈澱効率が低下する可能性があった。この場合には、例えば、沈澱池の途中に整流壁を設けたり、凝集剤の添加量を変更したり、更には、沈澱池の表面を蓋で覆ったりすることで、固体粒子の沈澱効率の低下を抑制することができる。ただし、このような対策を取るためには、沈澱池内の水の流速や方向をしっかりと把握する必要がある。
【０００６】
例えば、海域における海水の流速を観測するためのものとして、下記特許文献１には、流動に従い漂流するものであって、ＧＰＳ情報を受信するＧＰＳ受信部と、該ＧＰＳ情報に基づいて、自己の存在位置を示す無線信号を外部へ送信する送信部とを備える、漂流ブイが記載されている。
【先行技術文献】
【特許文献】
【０００７】
【特許文献１】特開２００６−２８４４３４号公報
【発明の概要】
【発明が解決しようとする課題】
【０００８】
上記のように、海水の流速を観測する際に、上記特許文献１に記載されているように、漂流ブイを用いて観測することは知られていた。
【０００９】
しかしながら、流れが極めて遅い沈澱池において、水の流速や方向を測定する方法については、これまで検討されたことがなかった。
【００１０】
したがって、本発明の目的は、沈澱池の所定深さにおける水の流速や方向を測定することができる、沈澱池の水流測定方法及び沈澱池の水流測定装置を提供することにある。
【課題を解決するための手段】
【００１１】
上記目的を達成するため、本発明の一つは、流し込まれた固体粒子を含む水から該固体粒子を沈澱除去するための沈澱池における水流測定方法であって、浮きと、水流受体と、前記浮き及び前記水流受体を連結する紐状部材とを有する漂流ブイであって、前記紐状部材の長さを変えて、前記紐状部材の長さごとに前記浮きに異なる目印を付けた複数の前記漂流ブイを用い、前記各漂流ブイを前記沈澱池に浮かべ、定点撮像手段によって前記各漂流ブイの浮きの動きを所定時間ごとに撮像して、前記各漂流ブイの浮きの位置の変化を測定することを特徴とする。
【００１２】
本発明によれば、複数の漂流ブイの紐状部材の長さを変えることにより、水流受体が支持される深さを変えることができる。そして、浮きには紐状部材の長さごとに異なる目印が付されているので、定点撮像手段によって沈澱池の水面を所定時間ごとに撮像して、各漂流ブイの浮きの位置の変化を測定することにより、各漂流ブイの浮きが移動した位置であって、その漂流ブイの水流受体が配置された深さでの流速及び方向を推定することができる。
【００１３】
本発明の沈澱池の水流測定方法においては、前記沈澱池の外周の複数箇所に標識を設けておき、前記定点撮像手段によって、前記各漂流ブイの浮きの動きを前記標識と共に撮像することが好ましい。
【００１４】
上記態様によれば、定点撮像手段によって、各漂流ブイの浮きと標識とを共に撮像することにより、標識に対する浮きの相対位置から、浮きの移動方向及び移動距離をより正確に求めることができる。
【００１５】
本発明の沈澱池の水流測定方法においては、前記定点撮像手段は、カメラを搭載した無人飛行体であって、該無人飛行体によって、前記沈澱池の上方から前記各漂流ブイの浮きの動きを撮像することが好ましい。
【００１６】
上記態様によれば、無人飛行体によって、沈澱池の上方から各漂流ブイの浮きの動きを撮像することにより、各漂流ブイの浮きの位置をより正確に求めることができる。
【００１７】
本発明の沈澱池の水流測定方法においては、前記漂流ブイの浮きに付された前記目印は、前記紐状部材の長さに応じて、前記浮きごとに色分けされたＬＥＤからなることが好ましい。
【００１８】
上記態様によれば、目印として色分けされたＬＥＤを用いることにより、浮きの種類を遠くからでも明瞭に識別することができる。
【００１９】
本発明の沈澱池の水流測定方法においては、前記漂流ブイの水流受体は、その質量が４０〜６０ｇ、比重が１．３〜１．７であり、前記浮きを前記沈澱池の水面に浮かべ、前記水流受体を水面下に沈めて、前記紐状部材によって支持した状態で側方から見たとき、前記浮きの水中投影面積の最大時の面積が、前記水流受体の投影面積の最大時の面積の２〜１０％であることが好ましい。
【００２０】
上記態様によれば、水面下のゆっくりとした水流の動きに応答しやすい漂流ブイとすることができ、沈澱池における水面下での水流をより正確に測定することができる。
【００２１】
本発明のもう一つは、流し込まれた固体粒子を含む水から該固体粒子を沈澱除去するための沈澱池における水流測定装置であって、複数の漂流ブイと、該漂流ブイの動きを撮像する定点撮像手段とを備え、前記複数の漂流ブイはそれぞれ、浮きと、水流受体と、前記浮き及び前記水流受体を連結する紐状部材とを有し、前記紐状部材は、各漂流ブイごとに異なる長さとされて、該紐状部材の長さごとに前記浮きに異なる目印が付されていることを特徴とする。
【００２２】
上記発明によれば、複数の漂流ブイを沈澱池に浮かべ、定点撮像手段によって、各漂流ブイの浮きの動きを所定時間ごとに撮像することにより、浮きの位置の変化から、その位置であって、その漂流ブイの水流受体が配置された深さでの流速及び方向を推定することができる。
【発明の効果】
【００２３】
本発明によれば、複数の漂流ブイの浮きには紐状部材の長さごとに異なる目印が付されているので、定点撮像手段によって沈澱池の水面を所定時間ごとに撮像して、各漂流ブイの浮きの位置の変化を測定することにより、各漂流ブイの浮きが移動した位置であって、その漂流ブイの水流受体が配置された深さでの流速及び方向を推定することができる。
【図面の簡単な説明】
【００２４】
【図１】本発明に係る沈澱池の水流測定方法及び測定装置の一実施形態を示しており、（ａ）はその平面図、（ｂ）は断面図である。
【図２】同測定方法及び測定装置に用いられる漂流ブイの斜視図である。
【図３】同測定方法及び測定装置に用いられる漂流ブイの側面図である。
【図４】同測定方法による、漂流ブイの流速及び方向の測定手順を示す説明図である。
【発明を実施するための形態】
【００２５】
以下、図面を参照して、本発明に係る沈澱池の水流測定方法及び沈澱池の水流測定装置の、一実施形態について説明する。
【００２６】
この沈澱池の水流測定方法は、固体粒子を含む水を沈澱池に流し込んで、水から固体粒子を沈澱除去するための沈澱池、すなわち、流し込まれた固体粒子を含む水から該固体粒子を沈澱除去するための沈澱池における水流を測定するものである。この実施形態における沈澱池は、上水道の原水処理に用いることを想定しているが、そのような用途に限定されず、例えば下水道の汚水処理に用いられるものであってもよい。
【００２７】
図１に示すように、沈澱池１０は、所定深さで一方向に長く伸びる長方形状をなしている。この沈澱池１０の最も上流側には、薬品混和池１が配置されている。この薬品混和池１に、固体粒子を含む水（以下、単に「原水」ともいう）が流入し、水酸化ナトリウムや塩酸、硫酸、炭酸ガス等のｐＨ調整剤を添加されて、原水のｐＨが調整されるようになっている。更に、この薬品混和池１においては、硫酸アルミニウム、ポリ塩化アルミニウム等の凝集剤が添加されて、原水中の固体粒子を凝集させて大きな固まりとし、沈殿しやすくするようになっている。
【００２８】
また、薬品混和池１の下流側には、沈澱池１０に向けて、第１フロック形成池２、第２フロック形成池３、第３フロック形成池４、第４フロック形成池５が、順次配置されており、薬品混和池１でｐＨ調整がされ且つ凝集剤の添加処理がなされた原水が、順次流入するようになっている。そして、前記凝集剤によって大きな固まりとされた固体粒子を含む原水が、フロック形成池２〜５を順次流れることによって、原水中で固体粒子が更に大きな固まり状となり（一般に「フロック」という）、更に大きく重いフロックが生成されるようになっている。なお、各フロック形成池中には、図示しないフロキュレーター（攪拌機）が設置されており、フロキュレータがゆっくりと回転し続けることにより、原水中の固まりどうしがぶつかり合って、大きなフロックが生成されるようになっている。
【００２９】
更に、沈澱池１０の長手方向一端側には、複数の孔が形成された整流壁６が配置されている。この整流壁６は、その上流側に配置された第４フロック形成池５の下流側に位置しており、第４フロック形成池５を介して、沈澱池１０内に流入した原水の乱れや方向を調整するようになっている（乱流を層流にしたり方向を調整する）。
【００３０】
また、前記沈澱池１０は、その底部に、図示しない粒子掻き寄せ機が載置されており、沈澱池１０内で水から沈澱した固体粒子を、沈澱池１０の所定位置（例えば、長手方向他端側又は一端側）に掻き寄せて、図示しない取出し口から排出するようになっている。
【００３１】
更に、沈澱池１０の長手方向他端側には、複数の孔が形成された整流壁７が配置されている。この整流壁７は、沈澱池１０の長手方向一端側から他端側に流れる、水の乱れや方向を調整するようになっている。
【００３２】
また、この整流壁７の下流側には、越流堰９を介して、沈澱水渠８が配置されている。前記整流壁７を通過した水は、越流堰９にぶつかって沈澱池１０内で滞留するが、水の一部は越流堰９の頂部を乗り越えて沈澱水渠８に流れ込む。そして、沈澱水渠８に流れ込んだ水は、図示しない取出し口から浄水として取出されるようになっている。
【００３３】
なお、沈澱池１０内においては、その長手方向一端側から長手方向他端側に向けて、水が、非常にゆっくりした流速、例えば、０．００５〜０．０１ｍ／ｓで流動するように設定されている。
【００３４】
そして、この沈澱池の水流測定方法では、浮き２１と、水流受体２２と、浮き２１及び水流受体２２を連結する紐状部材２３とを有する漂流ブイ２０であって、紐状部材２３の長さを変えて、紐状部材２３の長さごとに、浮き２１に異なる目印２５，２６，２７，２８，２９を付けた複数の漂流ブイ２０を用いるものである。
【００３５】
図２及び図３を併せて参照して、漂流ブイ２０について説明する。この実施形態における、水に浮く浮き２１は、球状をなしている。この浮き２１の直径Ｄは、３０〜６０ｍｍであることが好ましく、４０〜５０ｍｍであることがより好ましい。また、浮き２１の材質としては、例えば、発泡スチロール等を採用することができる。なお、浮きとしては、例えば、円板状や、矩形板状（正方形や長方形等）、角形ブロック状等であってもよく、特に限定はされない。
【００３６】
一方、前記水流受体２２は矩形板状をなしており、複数枚の該水流受体２２を、角柱状をなした支軸２４の外周に、周方向に均等な角度で放射状に突出するように取付けて構成されている。この実施形態では、正方形の板状をなした、４枚の水流受体２２を有しており、これらが、四角柱状をなした支軸２４の各面にそれぞれ接続されて、略十文字状をなすように４枚の水流受体２２が配置された構造となっている。また、支軸２４の長手方向一端側に、紐状部材２３が巻回されて接続されており、この紐状部材２３を介して水流受体２２と浮き２１とが連結されている。
【００３７】
また、図３に示すように、前記紐状部材２３の長さＬは、１００〜４０００ｍｍであることが好ましく、調査対象深度に設定する。なお、紐状部材２３としては、例えば、ナイロンやフロロカーボン等のいわゆる釣り糸などを用いることができる。
【００３８】
更に図３に示すように、水流受体２２の幅Ｗは、５０〜２００ｍｍであることが好ましく、７０〜１３０ｍｍであることがより好ましい。また、水流受体２２の高さＨは、５０〜２００ｍｍであることが好ましく、７０〜１３０ｍｍであることがより好ましい。更に、水流受体２２の厚さＴは、０．２〜１ｍｍであることが好ましく、０．４〜０．６ｍｍであることがより好ましい。なお、水流受体２２の材質は、例えば、ポリ塩化ビニル等を採用することができる。
【００３９】
そして、水流受体２２は、その質量が４０〜６０ｇ、比重が１．３〜１．７であり、図３に示すように、浮き２１を沈澱池１０の水面に浮かべ、水流受体２２を水面下に沈めて、紐状部材２３によって支持した状態で側方から見たとき、浮き２１の水中投影面積の最大時の面積Ｓ１が、水流受体２２の投影面積の最大時の面積Ｓ２の２〜１０％とされていることが好ましい。なお、水流受体２２の質量は、複数の水流受体２２の合計の質量であり、水流受体２２の投影面積の最大時の面積Ｓ２は、図３に示すように、側方から見た場合に視認可能な水流受体２２（ここでは３枚の水流受体２２）の、合計の投影面積である。
【００４０】
また、水流受体２２は、その質量が４５〜５５ｇ、比重が１．４〜１．６、浮き２１の水中投影面積の最大時の面積Ｓ１が、水流受体２２の投影面積の最大時の面積Ｓ２の３〜５％とされていることが、より好ましい。
【００４１】
なお、上記の十文字形状をなした水流受体２２の構造は、あくまでも一例である。例えば、板状の水受体を、支軸の周方向に均等な間隔で３枚配置したり、或いは、５枚以上配置したりしてもよい。ただし、沈澱池１０中の水の流れ方向によらずに、全方向から抵抗を受けるために、水流受体は３枚以上であることが好ましい。また、この実施形態の水流受体２２は一定肉厚で形成されているが（図３参照）、肉厚を変化させた羽根形状としたり、更には、半円形の板状や、楕円形の板状としたり、屈曲した形状としたりしてもよく、特に限定はされない。
【００４２】
また、前記浮き２１には、紐状部材２３の長さごとに、異なる目印２５，２６，２７，２８，２９を付されている。この実施形態では、５個の漂流ブイ２０の浮き２１に、目印２５〜２８が付されている。
【００４３】
図１（ｂ）に示すように、この実施形態においては、最も短い紐状部材２３が連結された浮き２１に目印２５が付され、２番目に短い紐状部材２３が連結された浮き２１に目印２６が付され、３番目に短い紐状部材２３が連結された浮き２１に目印２７が付され、４番目に短い紐状部材２３が連結された浮き２１に目印２８が付され、最も長い紐状部材２３が連結された浮き２１に目印２９が付されている。
【００４４】
なお、この実施形態では、５個の漂流ブイ２０の浮き２１にそれぞれ異なる目印２５〜２９を付したが、４個以下の漂流ブイ２０に異なる目印を付けたり、６個以上の漂流ブイ２０に異なる目印を付けてもよく、特に限定はされない。
【００４５】
また、この実施形態においては、これらの目印２５〜２９は、紐状部材２３の長さに応じて、浮き２１ごとに色分けされたＬＥＤからなっている。
【００４６】
例えば、目印２５を赤色のＬＥＤとしたり、目印２６を青色のＬＥＤとしたり、目印２７をピンク色のＬＥＤとしたり、目印２８を緑色のＬＥＤとしたり、目印２９をオレンジ色のＬＥＤとしたりすることができる。なお、ＬＥＤの色のパターンは例示であり、これら以外の色のＬＥＤを用いても勿論よい。
【００４７】
また、目印２５〜２９としては、互いに色が異なる塗料を浮き２１に塗布したり、或いは、色違いのテープを浮き２１に貼ったりしてもよく、特に限定はされない。
【００４８】
そして、この沈澱池の水流測定方法においては、各漂流ブイ２０を沈澱池１０に浮かべ、定点撮像手段によって、各漂流ブイ２０の浮き２１の動きを所定時間ごとに撮像して、各漂流ブイ２０の浮き２１の位置の変化を測定するものである。
【００４９】
この実施形態における定点撮像手段は、カメラ３５を搭載した無人飛行体３０である。そして、この無人飛行体３０によって、沈澱池１０の上方から、各漂流ブイ２０の動きを撮像するようになっている（図１（ａ）参照）。
【００５０】
前記無人飛行体３０としては、公知のドローンや、ラジコン飛行機、ラジコンヘリコプター等を用いることができる。この無人飛行体３０には、少なくとも、外部からの制御信号を受信する受信部と、カメラ３５で撮像した画像を、外部へ送信する送信部とを有している。そのため、カメラ３５で撮像した画像を、外部モニター等で確認することが可能となっている。なお、カメラ３５では静止画像を撮像してもよいが、動画を撮像してもよい。
【００５１】
また、本発明における定点撮像手段としては、上記の無人飛行体３０に限定されるものでない。
【００５２】
なお、本発明における「定点撮像」とは、所定間隔をあけて、およそ同一の高度及び平面位置において、対象となる同一の漂流ブイを撮像することを意味する。定点撮像手段としては、例えば、沈殿池を上方から見渡すことができる高い位置にカメラを固定して、沈殿池とその水面に浮かぶ漂流ブイを一定の高さで所定の領域が写るように撮像する手段が挙げられる。また、ドローンやラジコンヘリコプター等でホバリングしながら（空中で留まりながら）、およそ同一高度を保ちつつ同一平面位置において沈殿池とその水面に浮かぶ漂流ブイを撮像する手段であってもよい。
【００５３】
更に、この実施形態においては、沈澱池１０の外周の複数箇所に標識１５を設けておき、前記定点撮像手段によって、各漂流ブイ２０の浮き２１の動きを、標識１５と共に撮像するように構成されている。この実施形態では、長方形状をなした沈澱池１０の、長手方向両端部の角部の４箇所に、標識１５がそれぞれ設置されている（図１（ａ）参照）。ただし、標識１５の設置箇所は、定点撮像手段で撮像可能な範囲であれば、特に限定されない。
【００５４】
そして、各漂流ブイ２０の浮き２１の位置の変化は、例えば、次のようにして測定される。
【００５５】
すなわち、図４（ａ）に示すように、標識１５と共に、各漂流ブイ２０の浮き２１に付した目印２５〜２９を、無人飛行体３０のカメラ３５で撮像して、各漂流ブイ２０の浮き２１の、標識１５からの相対位置（Ｘ１，Ｙ１）を記録する。次いで、図４（ａ）の位置から所定時間経過後に、標識１５と共に、各漂流ブイ２０の浮き２１に付した目印２５〜２９を、無人飛行体３０のカメラ３５で撮像して、各漂流ブイ２０の浮き２１の、標識１５からの相対位置（Ｘ２，Ｙ２）を記録する。
【００５６】
なお、上記「Ｘ１」，「Ｘ２」は、基準となる標識１５からの、沈澱池１０の長さ方向における、浮き２１の距離であり、上記「Ｙ１」，「Ｙ２」は、基準となる標識１５からの、沈澱池１０の幅方向における、浮き２１の距離である。
【００５７】
上記のように、各時間ごとにおける各漂流ブイ２０の浮き２１の位置を測定することによって、各漂流ブイ２０の流動方向Ｆを把握することができる。また、前記Ｆの長さは、三平方の定理によって算出可能である。すなわち、Ｆ＝（（Ｘ２−Ｘ１）2＋（Ｙ２−Ｙ１）2）1/2によって算出できるので、それを時間で割ることによって、各漂流ブイ２０の流速を求めることができる。
【００５８】
また、各漂流ブイ２０を沈澱池１０に浮かべる際には、図１（ａ）に示すように、複数の漂流ブイ２０を一列に並べて測定を開始してもよく、時間差をつけて各漂流ブイ２０を測定してよい。
【００５９】
上記のように、本発明の沈澱池の水流測定装置は、複数の漂流ブイ２０と、該漂流ブイ２０の動きを撮像する定点撮像手段とを備え、複数の漂流ブイ２０はそれぞれ、浮き２１と、水流受体２２と、浮き２１及び水流受体２２を連結する紐状部材２３とを有し、紐状部材２３は、各漂流ブイ２０ごとに異なる長さとされて、該紐状部材２３の長さごとに、浮き２１に異なる目印２５，２６，２７，２８，２９が付されているものである。
【００６０】
次に、本発明に係る沈澱池の水流測定方法及び沈澱池の水流測定装置の作用効果について説明する。
【００６１】
まず、沈澱池１０の長手方向一端側に、各漂流ブイ２０をそれぞれ浮かべて漂流させる。その後、無人飛行体３０によって、標識１５と共に、所定時間ごとに各漂流ブイ２０の浮きの動きを撮像する。そして、その画像に基いて上述したように、標識１５からの各漂流ブイ２０の浮き２１の位置の変化を測定することで、各漂流ブイ２０の流速及び流動方向を求めることができる（図４参照）。
【００６２】
このとき、この測定方法においては、各漂流ブイ２０の浮き２１には、紐状部材２３の長さごとに異なる目印２５〜２９が付されているので、沈澱池１０における、各漂流ブイ２０の水流受体２２が配置された深さでの、流速及び方向を推定することができる。
【００６３】
上記のように、沈澱池１０の所定深さにおける流速や方向を推定することができるので、固体粒子を含む水において、固体粒子の沈澱効率が低下している場合に、例えば、沈澱池１０の途中に新たな整流壁を設置したり、薬品混和池１での凝集剤の種類や添加量を変更したり、等といった対策をとることができる。
【００６４】
また、この実施形態においては、定点撮像手段によって、各漂流ブイ２０の浮き２１と、沈澱池１０に設けた標識１５とを共に撮像することによって、標識１５に対する浮きの相対位置から、各漂流ブイ２０の浮き２１の移動方向及び移動距離を、より正確に求めることができる。
【００６５】
更に、この実施形態においては、無人飛行体３０のカメラ３５によって、沈澱池１０の上方から、各漂流ブイ２０の浮き２１の動きを撮像することにより、各漂流ブイ２０の浮き２１の位置をより正確に求めることができる。
【００６６】
また、この実施形態においては、各漂流ブイ２０の浮き２１に付された目印２５〜２９として、紐状部材２３の長さに応じて、浮き２１ごとに色分けされたＬＥＤを用いるようにしたので、浮き２１の種類を遠くからでも明瞭に識別することができる。
【００６７】
更にこの実施形態においては、水流受体２２は、その質量が４０〜６０ｇ、比重が１．３〜１．７であり、図３に示すように、浮き２１を沈澱池１０の水面に浮かべ、水流受体２２を水面下に沈めて、紐状部材２３によって支持した状態で側方から見たとき、浮き２１の水中投影面積の最大時の面積Ｓ１が、水流受体２２の投影面積の最大時の面積Ｓ２の２〜１０％とされている。
【００６８】
このように、水流受体２２の質量や比重、及び、水流受体２２の投影面積の最大時の面積Ｓ２に対する、浮き２１の水中投影面積の最大時の面積Ｓ１を設定したことによって、水面下のゆっくりとした水流の動きに応答しやすい漂流ブイ２０とすることができ、沈澱池１０における水面下での水流をより正確に測定することができる。
【００６９】
なお、本発明は、上述した実施形態に限定されるものではなく、本発明の要旨の範囲内で、各種の変形実施形態が可能であり、そのような実施形態も本発明の範囲に含まれる。
【符号の説明】
【００７０】
１  薬品混和池
２  第１フロック形成池
３  第２フロック形成池
４  第３フロック形成池
５  第４フロック形成池
６  整流壁
７  整流壁
８  沈澱水渠
９  越流堰
１０  沈澱池
１５  標識
２０  漂流ブイ
２１  浮き
２２  水流受体
２３  紐状部材
２４  支軸
２５，２６，２７，２８，２９  目印
３０  無人飛行体
３５  カメラ
Ｓ１  浮きの水中投影面積の最大時の面積
Ｓ２  水流受体の投影面積の最大時の面積
【図１】
2018091725.tif 000003
【図２】
2018091725.tif 000004
【図３】
2018091725.tif 000005
【図４】
2018091725.tif 000006